(57)【特許請求の範囲】
【請求項１】
車内に取付けられた収納ケース（１６）に引出し可能に収納されるテーブル（１７）の収納側に傾斜面（１７ａ）が形成され、基端が前記テーブル（１７）の収納側に枢支され先端が前記傾斜面（１７ａ）にスプリング（２４）により押しつけられ上面が前記テーブル（１７）の表面と略同一面をなす紙はさみ（１８）が設けられたメモホルダ。
【請求項２】
テーブル（１７）の収納側の側面に凹部（１７ｄ）が形成され、前記凹部（１７ｄ）内にスプリング（２４）の弾性力に抗して紙はさみ（１８）を持ち上げるレバー（１８ａ）が設けられた請求項１記載のメモホルダ。
【請求項３】
テーブル（１７）とともに移動し前記テーブル（１７）を収納ケース（１６）から引抜き不能に前記収納ケース（１６）に係止するストッパ（１９）が前記テーブル（１７）に一体的に形成された請求項１又は２記載のメモホルダ。
【請求項４】
車内に取付けられた収納ケースに引出し可能に収納され収納側の側面に凹部（２７ａ）が形成されたテーブル（２７）と、
基端が前記テーブル（２７）の収納側に枢支され先端が前記テーブル（２７）の表面にスプリング（３４）により押しつけられた紙はさみ（２８）と、
前記凹部（２７ａ）内に設けられ前記スプリング（３４）の弾性力に抗して前記紙はさみ（２８）を持ち上げるレバー（３１）と
を備えたメモホルダ。
【発明の詳細な説明】
【０００１】
【発明の属する技術分野】
本発明は車両の室内に設けられたメモホルダに関するものである。
【０００２】
【従来の技術】
図１２に示すように、従来メモホルダとしてテーブル７の端部に紙はさみ８の基端を枢支したものが知られており、この紙はさみ８の先端はテーブル７の表面に図示しないスプリングにより押しつけられるように構成される。このメモホルダでは、一方の手でテーブル７を保持して他方の手で紙はさみ８の先端を持上げ、この状態で紙はさみ８の先端とテーブル７との間にメモ用紙９等の固定すべきものを挿入した後、持上げられた紙はさみ８の先端を他方の手から離すことにより、メモ用紙９等が紙はさみ８の先端とテーブル７の表面との間にスプリングの付勢力により挟持されるようになっている。
【０００３】
しかし、このようなメモホルダでは、紙はさみ８の先端を持上げるまでに既に双方の手が使用されるために、持上げられた紙はさみ８の先端との間にメモ用紙９等を挿入することが困難になる不具合がある。即ち、メモ用紙９等の挿入を第三者により行わせることや、肘でテーブル７を押え込んで紙はさみ８の持上げをその肘における一方の手で行わせて使用されない他方の手でメモ用紙９等の挿入を行うようなことが行われるが、このメモホルダを車室内で運転者又は助手席者が使用する場合には、運転席又は助手席に着座している姿勢を一旦崩すことになり、その使用が困難である問題点がある。
この点を解消するために、図１３に示すように、テーブル７を車内６に取付けることが考えられる。テーブル７を車内６に取付けることにより、紙はさみ８を持上げる際にテーブル７の保持又は押え付ける動作を不要にして、安全確実に紙はさみ８を持上げてメモ用紙９等をそのテーブル７に固定することが期待され、更にテーブル７を引出し可能に収納すれば、不使用時における車内の美観を向上させることも期待できる。
【０００４】
【発明が解決しようとする課題】
しかし、車室内に設けられたメモホルダの使用態様は必ずしもメモ用紙等をテーブルに固定する場合のみならず、そのテーブルの表面に着目してそのメモ等の単なる置場所として使用することも考えられる。またテーブルの不使用時における収納性を考慮する必要もある。
本発明の目的は、車室内の僅かなスペースに独立に取付けることができるメモホルダを提供することにある。
本発明の別の目的は、運転者又は助手席者がその姿勢を大幅に崩すことなく書類、シート又はカードを容易に固定することができるメモホルダを提供することにある。
本発明の更に別の目的は、置台としても使用しうるメモホルダを提供することにある。
【０００５】
【課題を解決するための手段】
請求項１に係る発明は、図１及び図３に示すように、車内に取付けられた収納ケース１６に引出し可能に収納されるテーブル１７の収納側に傾斜面１７ａが形成され、基端がテーブル１７の収納側に枢支され先端が傾斜面１７ａにスプリング２４により押しつけられ上面がテーブル１７の表面と略同一面をなす紙はさみ１８が設けられたメモホルダである。
この請求項１に係る発明では、メモホルダの使用時には、テーブル１７を収納ケース１６から引出して使用する。引出されたテーブル１７に枢支された紙はさみ１８はその上面がテーブル１７の表面と略同一面をなすので、紙はさみ１８がテーブル１７の表面から突出してメモ用紙等を置くための表面積が縮小することはなく、引出されたテーブル１７の全ての部分を台として使用する。また、メモ用紙等を固定するには、紙はさみ１８の先端とテーブル１７の傾斜面１７ａとの間にメモ用紙等の固定すべきもの挿入し、スプリング２４の付勢力によりその間に挟持する。一方、メモホルダの不使用時にはテーブル１７を収納ケース１６に収納する。
【０００６】
請求項２に係る発明は、請求項１に係る発明であって、テーブル１７の収納側の側面に凹部１７ｄが形成され、凹部１７ｄ内にスプリング２４の弾性力に抗して紙はさみ１８を持ち上げるレバー１８ａが設けられたメモホルダである。
請求項２に係る発明では、レバー１８ａを操作するだけの簡単な動作で容易に紙はさみ１８を持ち上げることができる。凹部１７ｄ内にレバー１８ａを設けることによりテーブル１７の周囲にレバー１８ａが突出することを防止してテーブル１７が収納される収納ケース１６を比較的小さくする。
請求項３に係る発明は、請求項１又は２に係る発明であって、テーブル１７とともに移動しテーブル１７を収納ケース１６から引抜き不能に収納ケース１６に係止するストッパ１９がテーブル１７に一体的に形成されたメモホルダである。請求項３に係る発明では、メモホルダの使用時におけるテーブル１７の引抜きを防止し、収納ケース１６からストッパ１８で停止するまで引出した後のテーブル１７の表面に書籍等を置く台としての使用態様を可能にする。
【０００７】
請求項４に係る発明は、図７及び図８に示すように、車内に取付けられた収納ケースに引出し可能に収納され収納側の側面に凹部２７ａが形成されたテーブル２７と、基端がテーブル２７の収納側に枢支され先端がテーブル２７の表面にスプリング３４により押しつけられた紙はさみ２８と、凹部２７ａ内に設けられスプリング３４の弾性力に抗して紙はさみ２８を持ち上げるレバー３１とを備えたメモホルダである。
この請求項４に係る発明では、収納ケースから引出されたテーブル２７にメモ用紙等を固定する場合、レバー３１近傍のテーブル２７を保持し、その保持した手の指によりレバー３１を回転して紙はさみ２８持ち上げる。
【０００８】
【発明の実施の形態】
次に本発明の実施の形態を図面に基づいて詳しく説明する。
図６に示すように、車両の車内に取付けられたインストルメントパネル１１には両側部に設けられたサイドレジスタ１２ａ，１２ｂとともに中央上部にはセンタレジスタ１２ｃが設けられる。運転席前方に位置するインストルメントパネル１１にはスピードメータ等の車両を運転するために必要な表示機器が配置される。本発明に係るメモホルダ１３はセンタレジスタ１２ｃの下方、即ち運転席と助手席の間の略中央のインストルメントパネル１１に設けられる。図１及び図３に示すように、メモホルダ１３はインストルメントパネル１１に取付けられた収納ケース１６に水平方向に引出し可能に収納されるテーブル１７と、このテーブル１７の収納側に枢支された紙はさみ１８とを有する。このテーブル１７にはこのテーブル１７とともに移動しテーブル１７を収納ケース１６から引抜き不能に収納ケース１６に係止するストッパ１９が一体的に形成される。
【０００９】
図３に示すように、収納ケース１６は長方形の開口部１６ａを有する角筒状に形成され、上側には切欠き部１６ｂが形成される。収納ケース１６の両側壁１６ｃにはそれぞれ角孔１６ｄ，１６ｅが形成される。図では角孔１６ｄ，１６ｅは一方の側壁１６ｃのみ示す。収納ケース１６の両側壁１６ｃ内面には角孔１６ｄ，１６ｅを使用して一対のレール２１，２１が取付けられる。レール２１は収納ケース１６の角孔１６ｄ，１６ｅに対向する位置に係止爪２１ａ及び２１ｆがそれぞれ突設され、係止爪２１ａ及び２１ｆを角孔１６ｄ及び１６ｅにそれぞれ係止することによりレール２１が収納ケース１６に固定されるようになっている。レール２１にはテーブル１７の両側部及びストッパ１９の両側部を遊挿可能な凹溝２１ｂが形成され、この凹溝２１ｂ内にはその長手方向に延びてテーブル１７の側部下端又はストッパ１９の側部下端が摺動可能に当接する弾性変形可能な湾曲した板ばね２２がそれぞれ取付けられる。ストッパ１９及びテーブル１７はその両側部をそれぞれ収納ケース１６の開口部１６ａからレール２１の凹溝２１ｂにこの順序で挿入することにより収納ケース１６に収納される。
【００１０】
図１及び図２に示すように、テーブル１７の収納側にはテーブル１７の表面に滑らかに連続するような傾斜面１７ａに形成される。ストッパ１９はテーブル１７の収納側の裏面側端部に連結部材１７ｂを介してテーブル１７と一体的に形成される。ストッパ１９にはテーブル１７が引出された状態で収納ケース１６の切欠き部１６ｂに当接してテーブル１７のそれ以上の引出しを禁止する係止壁１９ａ（図１）が形成され、係止壁１９ａが切欠き部１６ｂに当接することによりテーブル１７は収納ケース１６から引抜き不能に構成される。
【００１１】
連結部材１７ｂには枢支壁１７ｃが形成され、紙はさみ１８の基端が枢支軸２３を介して枢支壁１７ｃに枢支される。紙はさみ１８は上面はテーブル１７の表面と略同一面をなすように形成され、枢支軸２３にはコイル状のスプリング２４が嵌入される。紙はさみ１８はこのスプリング２４の付勢力によりその先端を傾斜面１７ａに押しつけるように構成される。
図３に戻って、テーブル１７の収納側の側面には凹部１７ｄが形成され、凹部１７ｄ内には紙はさみ１８と一体的に形成されたレバー１８ａが設けられる。このレバー１８ａを図の実線矢印で示すように持上げることにより、このレバー１８ａと一体の紙はさみ１８をスプリング２４の弾性力に抗して持ち上げることができるように構成される。
【００１２】
このように構成されたメモホルダの動作を説明する。
車室内で運転者又は助手席者がメモ用紙等を固定する必要が生じた場合には、先ず収納ケース１６に収納されているテーブル１７を引出す。テーブル１７を引出すとストッパ１９がテーブル１７とともに移動し、図１に示すように、ストッパ１９の係止壁１９ａが収納ケース１６の切欠き部１６ｂに当接するまでテーブル１７は引出され、係止壁１９ａが切欠き部１６ｂに当接した状態でそれ以上のテーブル１７の引出しが禁止される。これによりテーブル１７は収納ケース１６の開口部１６ａから突出し、図６に示すように紙はさみ１８が収納ケース近傍に位置する状態でインストルメントパネル１１の前面にテーブル１７が略水平状態で維持される。
【００１３】
テーブル１７が引出された状態では、運転者又は助手席者は収納ケース１６から出現したテーブル１７に紙はさみ１８を利用してメモ用紙等を固定して利用する。この固定に際し、運転者等は一方の手でレバー１８ａをスプリング２４の弾性力に抗して図３の実線矢印で示すように持上げて紙はさみ１８を持ち上げる。図１の二点鎖線で示すように紙はさみ１８が持上げられた後、その先端とテーブル１７の傾斜面１７ａとの間にメモ用紙等の固定すべきものを他方の手で挿入し、レバー１８ａから一方の手を離す。これによりスプリング２４は紙はさみ１８を付勢してその先端をテーブル１７の傾斜面１７ａに押付け、図６の一点鎖線で示すメモ用紙２６等は傾斜面１７ａと紙はさみ１８の先端とにより挟持されて固定される。
【００１４】
一方、引出されたテーブル１７をメモ用紙等の置場所として使用する場合にはその引出されたテーブル１７の表面にそのまま置いて使用する。この場合、紙はさみ１８の上面がテーブル１７の表面と略同一面をなすように構成したので、紙はさみ１８がテーブル１７の表面から突出してメモ用紙等を置くための表面積が縮小されることはなく、引出されたテーブル１７の全ての部分を有効に使用することができる。
【００１５】
また、引出されたテーブル１７を使用しない場合には、テーブル１７をそのまま収納ケース１６に押込む。テーブル１７が押込まれるとテーブル１７の引出し側端面が収納ケース１６の開口部１６ａと略面一になって開口部１６ａを封止して見栄えを向上させる。この場合、紙はさみ１８の上面がテーブル１７の表面と略同一面をなすように構成したので、テーブル１７が収納される収納ケース１１の高さ寸法は紙はさみ１８がテーブル１７の表面から突出する従来のものに比較して小さくすることができ、車室内の僅かなスペースに独立に収納ケース１１を取付けることができる。また、紙はさみ１８にメモ用紙等を固定した状態でテーブル１７を押込めばメモ用紙等の収納スペースとしても使用することができる。
【００１６】
なお、上述した実施の形態では、テーブル１７にストッパ１９が一体的に形成されたものを説明したが、図４に示すように、ストッパを設けないでテーブル１７を収納ケースから引抜き可能に構成しても良い。この場合であっても、紙はさみ１８の上面をテーブル１７の表面と略同一面をなすように構成することにより、テーブル１７が収納される収納ケースの高さ寸法を従来のものに比較して小さくすることができ、車室内の僅かなスペースに独立に収納ケースを取付けることができる。
【００１７】
また、上述した実施の形態では、テーブル１７に形成した凹部１７ｄ内に紙はさみ１８と一体的に形成されたレバー１８ａを設けたが、図５に示すように、紙はさみ１８に連続するテーブル１７の表面に指の先端が挿入可能な凹み１７ｅを形成しても良い。この凹み１７ｅを形成した場合には、凹み１７ｅに挿入した指の先端を紙はさみ１８の先端に係合させて引上げることにより、紙はさみ１８をスプリング２４の弾性力に抗して持ち上げることができる。
【００１８】
図７〜図９に本発明の別の実施の形態を示す。図中上述した実施の形態と同一符号は同一部品を示し、繰返しての説明を省略する。
図７に示すように、メモホルダはテーブル２７と紙はさみ２８とを有し、テーブル２７は車内に取付けられた収納ケースに引出し可能に収納される。テーブル２７の収納側の側面には凹部２７ａが形成され、紙はさみ２８の基端はテーブル２７の収納側に枢支される。テーブル２７の収納端部には紙はさみ２８が挿入可能な切欠き部２７ｂが形成され、図７〜図９に示すように、この切欠き部２７ｂを貫通するするようにテーブル２７の収納端部に幅方向に回転軸２９が設けられる。回転軸２９にはコイルスプリング３４が嵌入され、紙はさみ２８の基端は切欠き部２７ｂにおけるこの回転軸２９に固定される。スプリング２４のそれぞれの端部はテーブル２７と紙はさみ２８とにそれぞれ固定され、スプリング３４は紙はさみ２８を回転させるように付勢して紙はさみ２８の先端がテーブル２７の表面に押し付けられるように構成される。
【００１９】
回転軸２９の端部はテーブル２７に形成された凹部２７ａに突出し、この突出した端部にはレバー３１の基端が固着される。レバー３１は凹部２７ａ内に設けられ、このレバー３１はスプリング３４の弾性力に抗して図７の実線矢印で示すように回転させることにより回転軸２９が回転し、回転軸２９に基端が固着された紙はさみ２８を回転させてその先端をテーブル２７の表面から持ち上げることができるように構成される。
【００２０】
このように構成されたメモホルダでは、収納ケースから引出されたテーブル２７に運転者又は助手席者等の乗員が紙はさみ２８を利用してメモ用紙等を固定して利用する。この固定に際し、運転者等は一方の手のみでレバー３１近傍のテーブル２７を保持し、更にその指をレバー３１に当てて図７の実線矢印で示すように回転させる。レバー３１の回転によりスプリング３４の弾性力に抗して回転軸２９が回転し、紙はさみ２８の先端をテーブル２７の表面から持ち上げる。この状態で紙はさみ２８の先端とテーブル２７との間にメモ用紙等の固定すべきものを他方の手で挿入した後、レバー３１から一方の手の指を離す。するとスプリング３４は紙はさみ２８を付勢し、メモ用紙３６等を紙はさみ２８の先端とテーブル２７の表面との間に挟持して固定する。
【００２１】
なお、上述した実施の形態では、凹部２７ａ内にレバー３１のみを設けたが、図１０に示すように、一端がレバー３１の先端に係合する補助レバー３２を凹部２７ａに更に設けてもよい。図における補助レバー３２は略中央が枢支され、その基端には運転者等の指が当接する当接部分３２ａが形成される。補助レバー３２は図１１の一点鎖線で示すように回転させることにより一端が持上がって、その一端と先端が係合するレバー３１を回転できるように構成される。補助レバー３２を更に設けたメモホルダでは、運転者等は一方の手でレバー３１近傍のテーブル２７を保持してその指を補助レバー３２の当接部分３２ａに当て、図１１の一点鎖線で示すようにその当接部分３２ａ押込むだけの簡単な操作でレバー３１を容易に回転させる。なお、レバー３１の回転により紙はさみ２８の先端はスプリング３４の弾性力に抗してテーブル２７の表面から持ち上げられる。
【００２２】
【発明の効果】
以上述べたように、本発明によれば、車内に取付けられる収納ケースに引出し可能に収納されたテーブルの収納側に傾斜面を形成し、基端がテーブルの収納側に枢支され先端がその傾斜面にスプリングにより押しつけられ上面がテーブルの表面と略同一面をなす紙はさみを設けたので、紙はさみの先端とテーブルの傾斜面との間にメモ用紙等の固定すべきもの挿入してスプリングの付勢力により挟持する本来の機能を損うことなく、テーブルが収納される収納ケースを小さくすることができる。この結果、車室内の僅かなスペースにメモホルダを取付けることができる。
【００２３】
また、テーブルを収納ケースから引抜き不能に収納ケースに係止するストッパをテーブルに一体的に形成すれば、収納ケースから引出したテーブル１７を書籍等の置く台として使用することも可能になる。この場合、紙はさみの上面がテーブルの表面と略同一面をなすように構成したので、紙はさみがテーブルの表面から突出してメモ用紙等を置くための表面積が縮小することはなく、引出されたテーブルの全ての部分を台として使用することができる。
更に、テーブルの収納側の側面に凹部を形成して紙はさみを持ち上げるレバーを設ければ、外径を大きくすることなくレバーを操作するだけの動作、例えばレバー近傍のテーブルを保持し、その保持した手の指によりレバーを回転させる簡単な操作で容易に紙はさみを持ち上げることができ、運転者又は助手席者がその姿勢を大幅に崩すことなく書類、シート又はカードを容易に固定することができる。
【図面の簡単な説明】
【図１】本発明のメモホルダにおけるテーブルが収納ケースから引出された状態を示す縦断面図。
【図２】その紙はさみの取付状態を示す斜視図。
【図３】そのメモホルダの構成を示す分解斜視図。
【図４】ストッパを有しないメモホルダの図１に対応する縦断面図。
【図５】表面に凹みが形成されたテーブルの斜視図。
【図６】メモホルダが取付けられたインストルメントパネルの斜視図。
【図７】本発明の別のメモホルダの斜視図。
【図８】その紙はさみとレバーとの取付状態を示す斜視図。
【図９】図７のＡ−Ａ線断面図。
【図１０】凹部に補助レバーが設けられた図７に対応する斜視図。
【図１１】図１０のＢ方向から見た側面図。
【図１２】従来のメモホルダの斜視図。
【図１３】従来のメモホルダがインストルメントパネルに取付けられた状態を示す斜視図。
【符号の説明】
１６  収納ケース
１７，２７  テーブル
１７ａ  傾斜面
１７ｄ，２７ａ  凹部
１８，２８  紙はさみ
１８ａ，３１  レバー
１９  ストッパ
２４，３４  スプリング
【図１】
0003597046.tif 000002
【図２】
0003597046.tif 000003
【図３】
0003597046.tif 000004
【図４】
0003597046.tif 000005
【図５】
0003597046.tif 000006
【図６】
0003597046.tif 000007
【図７】
0003597046.tif 000008
【図８】
0003597046.tif 000009
【図９】
0003597046.tif 000010
【図１０】
0003597046.tif 000011
【図１１】
0003597046.tif 000012
【図１２】
0003597046.tif 000013
【図１３】
0003597046.tif 000014